(57)【要約】【課題】蛍光画像のコントラストの低下を抑制する手段を提供する。【解決手段】紫外光発光素子を有する光源装置であって、ベース板の表面上に固着されたポリイミド層と、前記ポリイミド層の前記ベース板が固着された面の反対面に形成された配線パターンと、を有し、前記紫外光発光素子は、前記ポリイミド層の前記配線パターンが形成された面に実装されている。【選択図】        図１
2018124726.tif 000002
【特許請求の範囲】
【請求項１】
紫外光発光素子を有する光源装置であって、
ベース板の表面上に固着されたポリイミド層と、
前記ポリイミド層の前記ベース板が固着された面の反対面に形成された配線パターンと、
を有し、
前記紫外光発光素子は、前記ポリイミド層の前記配線パターンが形成された面に実装されていることを特徴とする光源装置。
【請求項２】
請求項１に記載の光源装置において、
前記ポリイミド層は、前記ベース板に接着剤で固着され
前記ポリイミド層と前記接着剤との間に、紫外光遮断パターンが形成されていることを特徴とする光源装置。
【請求項３】
請求項１または請求項２に記載の光源装置において、
前記配線パターンの前記ポリイミド層側の面の反対面に固着された絶縁フィルムと、
前記絶縁フィルムの前記配線パターン側の面の反対面に固着されたフロントパネルと、
を有し、
前記フロントパネルの前記紫外光発光素子側の縁部は、前記絶縁フィルムと前記配線パターンとを固着する接着剤の前記紫外光発光素子側の縁部よりも前記紫外光発光素子に接近していることを特徴とする光源装置。
【請求項４】
請求項３に記載の光源装置において、
前記フロントパネルの前記紫外光発光素子側の縁部は、前記絶縁フィルムの前記紫外光発光素子側の縁部よりも前記紫外光発光素子に接近していることを特徴とする光源装置。
【請求項５】
請求項４に記載の光源装置において、
前記絶縁フィルムと前記フロントパネルとは、フロントパネル接着剤で固着され、
前記絶縁フィルムおよび前記フロントパネルの前記紫外光発光素子側の縁部は、前記フロントパネル接着剤の前記紫外光発光素子側の縁部よりも前記紫外光発光素子に接近していることを特徴とする光源装置。
【請求項６】
請求項１から請求項５のいずれかに記載の光源装置において、
前記紫外光発光素子は、対向して配置され、
前記紫外光発光素子間に、導光体が配置されていることを特徴とする光源装置。
【請求項７】
請求項１から請求項６のいずれかに記載の光源装置を備えたことを特徴とする自動取引装置。
【発明の詳細な説明】
【技術分野】
【０００１】
本発明は、蛍光画像に光を照射する光源装置および自動取引装置に関する。
【背景技術】
【０００２】
従来の光源装置は、蛍光インクで形成された蛍光画像に紫外の波長を含む光を照射する光源を有し、その光源から発光される光のうち可視の波長の光を遮断する可視カットフィルタにより背景可視光成分（光源から紫外光と同時に発光される微弱な可視光）を減衰させて蛍光画像のコントラスト向上させるようにしている（例えば、特許文献１参照）。
【先行技術文献】
【特許文献】
【０００３】
【特許文献１】特開２０１６−５１３０号公報
【発明の概要】
【発明が解決しようとする課題】
【０００４】
しかしながら、従来の技術においては、可視光カットフィルタを介して光源から発光される紫外光を含む光を導光体に入射させるため、背景可視光成分とともに紫外光の光強度も減少してしまうため、蛍光画像のコントラストが低下してしまうという問題がある。
本発明は、このような問題を解決することを課題とし、蛍光画像のコントラストの低下を抑制することを目的とする。
【課題を解決するための手段】
【０００５】
そのため、本発明は、紫外光発光素子を有する光源装置であって、ベース板の表面上に固着されたポリイミド層と、前記ポリイミド層の前記ベース板が固着された面の反対面に形成された配線パターンと、を有し、前記紫外光発光素子は、前記ポリイミド層の前記配線パターンが形成された面に実装されていることを特徴とする。
【発明の効果】
【０００６】
このようにした本発明は、蛍光画像のコントラストの低下を抑制することができるという効果が得られる。
【図面の簡単な説明】
【０００７】
【図１】第１の実施例における光学センサユニットの構成を示す平面図
【図２】第１の実施例における線状光源ユニットの構成を示す正面図
【図３】第１の実施例におけるケーブル部および発光素子の構成を示す説明図
【図４】第１の実施例における自動取引装置の構成を示すブロック図
【図５】第２の実施例におけるケーブル部の構成を示す説明図
【図６】第３の実施例におけるケーブル部の構成を示す説明図
【図７】比較例におけるケーブル部の構成を示す説明図
【発明を実施するための形態】
【０００８】
以下、図面を参照して本発明による光源装置および自動取引装置の実施例を説明する。
【実施例１】
【０００９】
図１は第１の実施例における光学センサユニットの構成を示す平面図である。図２は第１の実施例における線状光源ユニットの構成を示す正面図であり、図１におけるひとつの線状光源ユニット１０５を側面から見た図である。
【００１０】
図１および図２において、光源装置としての光学センサユニット１０１は、受光素子１０２と、ふたつの線状光源ユニット１０５とを有している。
【００１１】
受光素子１０２は、複数の受光素子が線状に配列されたラインセンサであり、レンズアレイやフォトダイオードアレイなどを備え、紫外光および可視光を検出するものである。受光素子１０２は、ふたつの線状光源ユニット１０５の間に挟まれるように配設されている。
それぞれの線状光源ユニット１０５は、ふたつの紫外光発光素子としての発光素子１０６と、導光体１０３と、ふたつのホルダ１０４と、ふたつのケーブル部１１２と、ふたつのベース板１１０とを有している。
【００１２】
発光素子１０６は、ケーブル部１１２に配設され、電気信号を光に変換する素子である。
導光体１０３は、発光素子１０６から発光された光を導くものである。この導光体１０３は、例えばアクリル樹脂やポリマーなどの紫外透過性媒体であり、発光素子１０６を収めることができる断面が形成されている。
【００１３】
発光素子１０６は、導光体１０３の長手方向における両端部にそれぞれ配設され、両端部の発光素子１０６同士は対向する位置に配置されている。導光体１０３は、対向配置されたふたつの発光素子１０６の間に配置され、それぞれの発光素子１０６との間に所定の間隔が保持されている。
【００１４】
図２に示すように、導光体１０３は、長手方向が通過する媒体（紙葉類）と平行するように配置されている。
【００１５】
なお、本実施例では、媒体を紙幣として説明するが、蛍光画像が印刷されている媒体であれば、紙幣に限られることなく、コピー用紙等の紙葉類であっても良い。
【００１６】
ホルダ１０４は、導光体１０３およびベース板１１０を固定するものである。
ベース板１１０は、導光体１０３の両端に配設され、ケーブル部１１２を保持するとともに、接地されているものである。
ケーブル部１１２は、発光素子１０６と接続された配線パターン等を有するものである。ケーブル部１１２は、ベース板１１０に接地されている面とは反対側の導光体１０３側の面上に、発光素子１０６が配設されている。
【００１７】
図３は第１の実施例におけるケーブル部および発光素子の構成を示す説明図である。図３は、ケーブル部および発光素子が配置された図２における領域Ａを反時計回りに９０度回転させ、拡大した図である。
図３において、ケーブル部１１２は、ベース板１１０の表面上にベース接着剤１０９で固着されたポリイミド層１０８と、ポリイミド層１０８のベース板１１０が固着された面の反対面に形成された配線パターン１０７とを有している。
【００１８】
ポリイミド層１０８上に配線パターン１０７が形成されている。また、ポリイミド層１０８の配線パターン１０７が形成された面には、発光素子１０６が実装されている。発光素子１０６のアノード端子１０６ａおよびカソード端子１０６ｂは、ボンディングワイヤ１１１を用いて配線パターン１０７と接続されている。
さらに、ケーブル部１１２は、ベース接着剤１０９を介してポリイミド層１０８の面のうち配線パターン１０７が形成されていない面に、ベース板１１０を接着している。
【００１９】
ここで、ポリイミド層１０８は、ベース接着剤１０９に到達する紫外光を減衰させ、また紫外蛍光しない材料である。さらに、ポリイミド層１０８は、配線パターン１０７を表面に形成するため、絶縁層としての役割も持っている。
【００２０】
また、配線パターン１０７は、公知のメッキ、蒸着、またはスパッタによってメタル層を形成し、公知のエッチングによってポリイミド層１０８上に接着剤を介さずに形成することが望ましい。なお、配線パターン１０７は、金、銀、銅、アルミニウム等の紫外蛍光しない材料で形成されている。
【００２１】
発光素子１０６は、３７５ｎｍの紫外光を発するものであり、サファイア等の絶縁性の基板を利用したＧａＮ系化合物半導体を利用した紫外光ＬＥＤ（Ｌｉｇｈｔ  Ｅｍｉｔｔｉｎｇ  Ｄｉｏｄｅ）チップを適用することができる。
【００２２】
図４は第１の実施例における自動取引装置の構成を示すブロック図である。
【００２３】
図４において、自動取引装置２０１は、例えば金融機関や流通機関等に設置される現金自動預け払い機（ＡＴＭ）等であり、図１に示す光学センサユニット１０１を備えたものである。自動取引装置２０１は、媒体としての紙葉類（例えば、紙幣や証券）に蛍光インクで形成された画像に紫外光を照射し、その画像が蛍光した蛍光画像を読み取って媒体の真贋を判定するものである。
【００２４】
自動取引装置２０１は、制御装置２０２と、表示操作部２０３と、明細書取扱部２０４と、カード取扱部２０５と、紙幣取扱部２０６と、硬貨取扱部２０９と、電源部２１０とを有している。
制御装置２０２は、ＣＰＵ（Ｃｅｎｔｒａｌ  Ｐｒｏｃｅｓｓｉｎｇ  Ｕｎｉｔ）等の制御用のコンピュータである制御手段と、メモリやＨＤＤ（Ｈａｒｄ  Ｄｉｓｋ  Ｄｒｉｖｅ）等の記憶手段とを備え、記憶手段に記憶されたＯＳ（Ｏｐｅｒａｔｉｎｇ  Ｓｙｓｔｅｍ）や取引プログラムに基づいて制御手段が以下に説明する各部を含め自動取引装置２０１全体の動作を制御する。
【００２５】
表示操作部２０３は、タッチパネル式の液晶ディスプレイ等であり、取引画面を表示し、操作者の入力操作を受け付けるものである。
明細書取扱部２０４は、自動取引装置２０１で行われる取引の内容を明細票に印字するプリンタである。
【００２６】
カード取扱部２０５は、金融カードに貼付された磁気テープやＩＣチップに格納された情報を読取り、また情報を磁気テープやＩＣチップに書き込むものである。
紙幣取扱部２０６は、紙幣投入口に投入された紙幣を鑑別して収納庫に格納する入金処理や収納庫に格納された紙幣を鑑別して紙幣出金口に払い出す出金処理を行うものである。ここで、紙幣は図３に示す媒体（紙葉類）に相当する。
【００２７】
紙幣取扱部２０６は、紙幣を鑑別する鑑別部２０７を備え、また鑑別部２０７は図１に示す光学センサユニット１０１を備えたものである。
鑑別部２０７は、制御プログラムが格納されたＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、およびＣＰＵ等の制御部を有している。
【００２８】
また、鑑別部２０７の制御部の制御基板には、図１に示す光学センサユニット１０１のケーブル部１１２が接続されている。
【００２９】
鑑別部２０７の制御部は、図１および図２に示す複数の発光素子１０６と、複数の可視光発光素子と、複数の赤外発光素子とを所定のパターンで電流駆動して発光させるとともに、駆動部を介して媒体を発光素子の光軸と直交する方向に移動させる。
発光素子を発光させた鑑別部２０７の制御部は、図１に示す受光素子１０２が紙幣の蛍光や反射光などを検出して出力した信号に基づいて媒体の蛍光画像および可視光画像を取得するように構成されている。
【００３０】
特に、写真用のコピー用紙は紫外線の反射率が高いため、鑑別部２０７の制御部は、媒体の蛍光画像が均一な紫外線画像であることを検出した場合、当該媒体が偽造紙幣であると判定することができる。
【００３１】
硬貨取扱部２０９は、硬貨投入口に投入された硬貨を鑑別して収納庫に格納する入金処理や収納庫に格納された硬貨を鑑別して硬貨出金口に払い出す出金処理を行うものである。
電源部２１０は、商用電源からの交流電力を直流電力に変換して直流電力を各部に供給する電源装置である。
【００３２】
上述した構成の作用について説明する。
【００３３】
図４に示す自動取引装置２０１の紙幣取扱部２０６に備えられた鑑別部２０７の光学センサユニット１０１の動作を図１、図２および図３に基づいて説明する。
【００３４】
光学センサユニット１０１のケーブル部１１２は、図４に示す鑑別部２０７の制御部の制御基板に接続されているため、制御基板から所定の信号が出力されることにより、発光素子１０６が所定の発光パターンで紫外光を発光する。
発光素子１０６から放出された紫外光ＵＶは、配線パターン１０７、ポリイミド層１０８、ポリイミド層１０８を通してベース接着剤１０９、並びに導光体１０３を通して対向する発光素子１０６とケーブル部１１２に照射される。
【００３５】
このとき、配線パターン１０７およびポリイミド層１０８は、蛍光性のないものを材料として形成されているため、蛍光することがなく、可視光を発することはない。
また、ベース接着剤１０９は、ポリイミド層１０８を介して紫外光ＵＶが照射されるため、照射される紫外光ＵＶの強度が弱まる。その結果としてベース接着剤１０９から発せられる紫外蛍光ＵＶａの強度も弱くなる。
【００３６】
ここで、比較例の光学センサユニットの動作を図７に基づいて説明する。
【００３７】
図７に示す光学センサユニット５０１は、可視光カットフィルタを備えている。ここで、可視光カットフィルタは、光源から紫外光と同時に発せられる微弱な背景可視光成分を減衰させるものであり、蛍光画像のコントラストを向上させるものである。
【００３８】
なお、光学センサユニット５０１は、図１および図２に示す光学センサユニット１０１に相当するものであり、ケーブル部５１２以外の構成は図１および図２に示す光学センサユニット１０１と同様である。また、図７は、ケーブル部および発光素子が配置された図２における領域Ａを反時計回りに９０度回転させ、拡大した図である。
【００３９】
図７において、ケーブル部５１２は、配線パターン５０７と、絶縁層５０９と、ベース板５１０とを有している。
【００４０】
絶縁層５０９は、エポキシ材料で構成され、一方の面上に配線パターン５０７が形成されており、他方の面にはベース板５１０を接着している。
また、配線パターン５０７は、公知のメッキ、蒸着、またはスパッタによってメタル層を形成し、公知のエッチングによって絶縁層５０９上に形成されている。
【００４１】
さらに、可視光カットフィルタ５２０が固定部材によって固定され、発光素子５０６から放出される紫外光ＵＶ５０、および紫外光ＵＶ５０によって発する紫外蛍光Ｌ５１が、図１に示す導光体１０３に入射する位置に配置され、導光体１０３に入射する紫外蛍光Ｌ５１を遮光する。
【００４２】
ここで、紫外蛍光とは、エポキシ材料（絶縁層５０９）に紫外光が当たることで励起されて発光する蛍光（可視光）である。比較例では、この紫外蛍光（可視光）をカットするために可視光カットフィルタ５２０を備える必要がある。
また、ケーブル部５１２上には発光素子５０６が配置され、発光素子５０６のアノード端子５０６ａおよびカソード端子５０６ｂは、ボンディングワイヤ５１１を用いてワイヤボンドされている。
【００４３】
このように構成された比較例の光学センサユニット５０１のケーブル部５１２は、図４に示す鑑別部２０７の制御部の制御基板に接続されているため、制御基板から所定の信号が出力されることにより、発光素子５０６が所定の発光パターンで紫外光ＵＶ５０を発光する。
【００４４】
このとき、発光素子５０６から放出された紫外光ＵＶ５０は、可視光カットフィルタ５２０を通して紫外光ＵＶ５２となる。この紫外光ＵＶ５２は、可視光カットフィルタ５２０を介するため、紫外光ＵＶ５０より強度が弱くなる。
【００４５】
また、紫外光ＵＶ５０は、配線パターン５０７、絶縁層５０９、および絶縁層５０９を通してベース板５１０に放出され、紫外蛍光Ｌ５１は導光体１０３を通して対向する発光素子５０６とケーブル部５１２に照射される。
このように、可視光カットフィルタを備えた比較例では、発光素子から放出された紫外光は、可視光カットフィルタを介して導光体に入射するため、強度が弱くなってしまう。
【００４６】
しかし、図３に示す本実施例のように、ポリイミド層１０８を、発光素子１０６から放出される紫外光ＵＶによって蛍光する構造物としてのベース接着剤１０９に紫外光ＵＶが照射されることを防ぐように、配置したことにより、可視光カットフィルタを備える必要がなく、可視光カットフィルタを用いることなく紫外蛍光（可視光）を弱めることができる。
【００４７】
即ち、本実施例では、ポリイミド層１０８を用いているため、紫外蛍光（可視光）は殆ど発光せず、可視光カットフィルタを用いる必要がなく、紫外蛍光（可視光）を弱めることができる。
したがって、本実施例では、発光素子から放出された紫外光は可視光カットフィルタを介することなく導光体に照射され、導光体から媒体に放出される紫外光の強度は導光体を通した際の損失だけとなり、紫外光の強度の低下を抑制することができる。
【００４８】
このように本実施例では、発光素子から放出される紫外光の強度を弱めることなく、導光体に照射される蛍光（可視光）成分が減少するため、蛍光画像のコントラストを向上させることができる。
さらに、可視光カットフィルタのフィルタ性能に関係なく蛍光（可視光）成分を減らすことができるため、より広範囲の紫外光を扱うことができるようになる。
【００４９】
以上説明したように、第１の実施例では、発光素子から放出される紫外光の強度を弱めることなく、導光体に照射される蛍光（可視光）成分を減少させることができ、蛍光画像のコントラストの低下を抑制することができるという効果が得られる。
【実施例２】
【００５０】
第２の実施例の構成は、光学センサユニットのケーブル部の構成が第１の実施例と異なっている。その第２の実施例の構成を図５の第２の実施例におけるケーブル部の構成を示す説明図に基づいて説明する。図５は、ケーブル部および発光素子が配置された図２における領域Ａを反時計回りに９０度回転させ、拡大した図である。なお、ケーブル部以外の構成は第１の実施例の構成と同様であり、上述した第１の実施例と同様の部分は、同一の符号を付してその説明を省略する。
【００５１】
図５において、ケーブル部３１２は、配線パターン１０７と、ポリイミド層１０８と、裏面パターン１０８ｂとを有している。
【００５２】
ポリイミド層１０８は、一方の面上に配線パターン１０７が形成されており、他方の面には裏面パターン１０８ｂが形成されている。
さらに、裏面パターン１０８ｂは、ポリイミド層１０８の反対面に、ベース接着剤１０９を介してベース板１１０を接着している。
【００５３】
裏面パターン１０８ｂは、金、銀、銅、銅箔、アルミニウム等の紫外蛍光しない材料で形成されている。また、裏面パターン１０８ｂは、配線パターン１０７と同様の材料で形成することができる。
このように、紫外光遮断パターンとしての裏面パターン１０８ｂは、ポリイミド層１０８とベース接着剤１０９との間に形成されている。
【００５４】
また、ケーブル部３１２のポリイミド層１０８上には発光素子１０６がボンディングワイヤ１１１を用いてワイヤボンドされている。
【００５５】
上述した構成の作用について説明する。
【００５６】
図４に示す自動取引装置２０１の紙幣取扱部２０６に備えられた鑑別部２０７の光学センサユニット１０１の動作を図１、図２および図５に基づいて説明する。
【００５７】
光学センサユニット１０１のケーブル部３１２は、図４に示す鑑別部２０７の制御部の制御基板に接続されているため、制御基板から所定の信号が出力されることにより、発光素子１０６が所定の発光パターンで紫外光を発光する。
発光素子１０６から放出された紫外光ＵＶは、配線パターン１０７、ポリイミド層１０８、ポリイミド層１０８を通して裏面パターン１０８ｂ、並びに導光体１０３を通して対向する発光素子１０６とケーブル部３１２に照射される。
【００５８】
このとき、配線パターン１０７、ポリイミド層１０８、および裏面パターン１０８ｂは、蛍光性のないものを材料として形成されているため、蛍光することはない。
【００５９】
このように、本実施例では、ベース接着剤１０９とポリイミド層１０８との間に、裏面パターン１０８ｂを形成したことにより、発光素子１０６から放出された紫外光ＵＶは、裏面パターン１０８ｂにより遮光され、ベース接着剤１０９まで到達しない。また、裏面パターン１０８ｂは、蛍光しない素材を用いているため、紫外光ＵＶによって蛍光しない。
【００６０】
したがって、導光体１０３に照射される可視光成分は、発光素子１０６から放出される可視光成分のみとなり、蛍光画像のコントラストを向上させることができる。
以上説明したように、第２の実施例では、第１の実施例の効果に加え、導光体に照射される可視光成分を発光素子から放出される可視光成分のみとすることができ、さらに蛍光画像のコントラストの低下を抑制することができるという効果が得られる。
【実施例３】
【００６１】
第３の実施例の構成は、光学センサユニットのケーブル部の構成が第１の実施例と異なっている。その第３の実施例の構成を図６の第３の実施例におけるケーブル部の構成を示す説明図に基づいて説明する。図６は、ケーブル部および発光素子が配置された図２における領域Ａを反時計回りに９０度回転させ、拡大した図である。なお、ケーブル部以外の構成は第１の実施例の構成と同様であり、上述した第１の実施例と同様の部分は、同一の符号を付してその説明を省略する。
【００６２】
図６において、ケーブル部４１２は、配線パターン１０７と、ポリイミド層１０８と、裏面パターン１０８ｂと、フロントパネル４０８と、絶縁フィルム４１０とを有している。
【００６３】
ポリイミド層１０８は、一方の面上に配線パターン１０７が形成されており、他方の面には裏面パターン１０８ｂが形成されている。
さらに、裏面パターン１０８ｂは、ポリイミド層１０８の反対面に、ベース接着剤１０９を介してベース板１１０を接着している。
【００６４】
裏面パターン１０８ｂは、金、銀、銅、銅箔、アルミニウム等の紫外蛍光しない材料で形成されている。また、裏面パターン１０８ｂは、配線パターン１０７と同様の材料で形成することができる。
【００６５】
なお、ケーブル部４１２は、裏面パターン１０８ｂを設けない構成としても良い。
【００６６】
また、ポリイミド層１０８に形成されている配線パターン１０７上、即ち配線パターン１０７のポリイミド層１０８側の面の反対面には、絶縁フィルム４１０が、絶縁フィルム接着剤４１１を介して接着され、固着されている。
【００６７】
さらに、絶縁フィルム４１０の配線パターン１０７が接着されていない片面、即ち絶縁フィルム４１０の配線パターン１０７側の面の反対面には、フロントパネル４０８がフロントパネル接着剤４０９を介して接着され、固着されている。
【００６８】
絶縁フィルム接着剤４１１は、熱硬化性であって、熱圧着によって絶縁フィルム４１０を接着するので、絶縁フィルム４１０の外側である発光素子１０６側に僅かにはみ出す。
フロントパネル接着剤４０９は、絶縁フィルム４１０の発光素子１０６側の縁部（四方の縁部、以下同様）よりも内側（発光素子１０６の反対側）に収まるようにし、フロントパネル４０８は絶縁フィルム接着剤４１１の発光素子１０６側の縁部よりも発光素子１０６側にはみ出している。
【００６９】
このように、フロントパネル４０８の発光素子１０６側の縁部４０８ａは、絶縁フィルム４１０と配線パターン１０７とを固着する絶縁フィルム接着剤４１１の発光素子１０６側の縁部４１１ａよりも発光素子１０６に接近している。
【００７０】
また、フロントパネル４０８の発光素子１０６側の縁部４０８ａは、絶縁フィルム４１０の発光素子１０６側の縁部４１０ａより発光素子１０６に接近している。
【００７１】
さらに、絶縁フィルム４１０とフロントパネル４０８とは、フロントパネル接着剤４０９で固着され、絶縁フィルム４１０の発光素子１０６側の縁部４１０ａおよびフロントパネル４０８の発光素子１０６側の縁部４０８ａは、フロントパネル接着剤４０９の発光素子１０６側の縁部４０９ａよりも発光素子１０６に接近している。
【００７２】
また、ケーブル部４１２のポリイミド層１０８上には発光素子１０６がボンディングワイヤ１１１を用いてワイヤボンドされている。
【００７３】
上述した構成の作用について説明する。
【００７４】
図４に示す自動取引装置２０１の紙幣取扱部２０６に備えられた鑑別部２０７の光学センサユニット１０１の動作を図１、図２および図６に基づいて説明する。
【００７５】
光学センサユニット１０１のケーブル部３１２は、図４に示す鑑別部２０７の制御部の制御基板に接続されているため、制御基板から所定の信号が出力されることにより、発光素子１０６が所定の発光パターンで紫外光を発光する。
【００７６】
発光素子１０６から放出された紫外光ＵＶは、配線パターン１０７、ポリイミド層１０８、絶縁フィルム４１０、絶縁フィルム接着剤４１１、フロントパネル４０８、フロントパネル接着剤４０９、ポリイミド層１０８を通して裏面パターン１０８ｂ、並びに導光体１０３を通して対向する発光素子１０６とケーブル部４１２に照射される。
【００７７】
このとき、配線パターン１０７、ポリイミド層１０８、裏面パターン１０８ｂ、フロントパネル４０８、および絶縁フィルム４１０は、蛍光性のないものを材料として形成されているため、蛍光することはない。
【００７８】
また、フロントパネル接着剤４０９および絶縁フィルム接着剤４１１に紫外光ＵＶが照射されても、フロントパネル接着剤４０９および絶縁フィルム接着剤４１１の外周よりも大きい外周が形成されているフロントパネル４０８によって紫外蛍光ＵＶｄが遮光される。
【００７９】
このように、本実施例では、配線パターン１０７上に、絶縁フィルム４１０およびフロントパネル４０８を、絶縁フィルム接着剤４１１およびフロントパネル接着剤４０９を介してそれぞれ接着した。また、フロントパネル接着剤４０９は、絶縁フィルム４１０の外周よりも小さくし、さらにフロントパネル４０８は、絶縁フィルム接着剤４１１の外周よりも大きくした。
【００８０】
これにより、フロントパネル接着剤４０９および絶縁フィルム接着剤４１１から放出される紫外蛍光ＵＶｄは、フロントパネル４０８によって遮光される。
また、配線パターン１０７上に絶縁フィルム４１０を接着することにより、配線パターン１０７を保護することができる。
【００８１】
したがって、本実施例では、配線パターン１０７を保護するとともに、フロントパネル接着剤４０９および絶縁フィルム接着剤４１１の外周よりも大きく形成したフロントパネル４０８でフロントパネル接着剤４０９および絶縁フィルム接着剤４１１から放出される紫外蛍光ＵＶｄを遮光するため、蛍光画像のコントラストを向上させることができる。
【００８２】
さらに、フロントパネル４０８および絶縁フィルム４１０によって発光素子１０６の周囲の高さが高くなり、例えば発光素子１０６の樹脂封止を行う際に、樹脂の形状を保つことができる。
【００８３】
なお、本実施例においても第２の実施例と同様に、ベース接着剤１０９とポリイミド層１０８との間に、裏面パターン１０８ｂを形成したことにより、発光素子１０６から放出された紫外光ＵＶは、裏面パターン１０８ｂにより遮光され、ベース接着剤１０９まで到達しない。また、裏面パターン１０８ｂは、蛍光しない素材を用いているため、紫外光ＵＶによって蛍光しない。
【００８４】
したがって、導光体１０３に照射される可視光成分は、発光素子１０６から放出される可視光成分のみとなり、蛍光画像のコントラストを向上させることができる。
【００８５】
以上説明したように、第３の実施例では、第２の実施例の効果に加え、配線パターンを保護しつつ、フロントパネルでフロントパネル接着剤および絶縁フィルム接着剤から放出される紫外蛍光を遮光することができ、蛍光画像のコントラストの低下を抑制することができるという効果が得られる。
【００８６】
なお、第１の実施例から第３の実施例の光学センサユニットは、樹脂封止するとより顕著な効果が得られる。紫外光は、樹脂界面で反射するため、光源内でより多くの反射光が外部に放出されるが、この反射光には紫外光の他に微弱な可視光も含まれている。しかしながら、第１の実施例から第３の実施例の光学センサユニットを用いれば、反射光に含まれる微弱な可視光も遮光することが可能であり、蛍光画像のコントラストを向上させることができる。
【００８７】
また、第１の実施例から第３の実施例では、自動取引装置を現金自動預け払い機として説明したが、それに限られるものでなく、光学センサユニットを有するものであれば乗車券等を発行する自動券売機等としても良い。
【符号の説明】
【００８８】
１０１  光学センサユニット
１０２  受光素子
１０３  導光体
１０４  ホルダ
１０５  線状光源ユニット
１０６  発光素子
１０７  配線パターン
１０８  ポリイミド層
１０８ｂ  裏面パターン
１０９  ベース接着剤
１１０  ベース板
１１２、３１２、４１２  ケーブル部
２０１  自動取引装置
２０２  制御装置
２０３  表示操作部
２０４  明細書取扱部
２０５  カード取扱部
２０６  紙幣取扱部
２０９  硬貨取扱部
２１０  電源部
４０８  フロントパネル
４０９  フロントパネル接着剤
４１０  絶縁フィルム
４１１  絶縁フィルム接着剤
【図１】
2018124726.tif 000003
【図２】
2018124726.tif 000004
【図３】
2018124726.tif 000005
【図４】
2018124726.tif 000006
【図５】
2018124726.tif 000007
【図６】
2018124726.tif 000008
【図７】
2018124726.tif 000009